(57)【要約】【課題】回折効率の高い透過型ホログラムを安定して作製することができる製造方法を提供する。【解決手段】製造方法は、感光材料３０を含む積層体２０を準備する工程と、積層体の感光材料に複数の方向からの光を照射して、当該複数の方向からの光が干渉してなる干渉縞３５を感光材料３０に記録する工程と、を備える。積層体は、第１支持材２１と、非複屈折性および非旋光性を有した第２支持材２２と、第１支持材と第２支持材との間に配置された感光材料と、を有する。感光材料は、干渉縞を記録する工程において、第２支持材の側から露光される。【選択図】図３
2011133640.tif 000002
【特許請求の範囲】
【請求項１】
第１支持材と、非複屈折性および非旋光性を有した第２支持材と、前記第１支持材と前記第２支持材との間に配置された感光材料と、を有する積層体を準備する工程と、
複数の方向からの光を、前記積層体の前記感光材料に、前記第２支持材の側から照射して、当該複数の方向からの光が干渉してなる干渉縞を前記感光材料に記録する工程と、を備える、
ことを特徴とする透過型ホログラムの製造方法。
【請求項２】
第１支持材は、複屈折性および旋光性の少なくとも一方を有する、
ことを特徴とする請求項１に記載の透過型ホログラムの製造方法。
【請求項３】
前記積層体は、前記感光材料の前記第２支持材とは反対の側に設けられた光吸収層を有し、
前記干渉縞を記録する工程において、前記積層体に照射された光の少なくとも一部が、前記第２支持材および前記感光材料を透過した後に、前記光吸収層に吸収される、
ことを特徴とする請求項１または２に記載の透過型ホログラムの製造方法。
【請求項４】
前記積層体の前記第２支持材は、前記積層体に照射される光を透過させる性質を有し、
前記干渉縞を記録する工程において、前記積層体に照射される光は、前記第２支持材を透過して、前記感光材料に入射する、
ことを特徴とする請求項１〜３のいずれか一項に記載の透過型ホログラムの製造方法。
【請求項５】
前記感光材料はフォトポリマーからなる、
ことを特徴とする請求項１〜４のいずれか一項に記載の透過型ホログラムの製造方法。
【発明の詳細な説明】
【技術分野】
【０００１】
本発明は、二つの支持材間に保持された感光材料を一方の支持材の側から露光して透過型ホログラムを製造する方法に関する。
【背景技術】
【０００２】
従来、二光束の干渉により生じる干渉縞を感光材料（記録材料）に記録してなるホログラムが、知られている。このホログラムは、いわゆるブラッグ条件と呼ばれる波長および光路方向に関する条件を満たす光を、高い回折効率で回折する光学素子として、種々の分野で使用されている。一例として、ホログラムは、レンズ、回折格子、干渉フィルタとしての機能を有した光学素子として用いられ、また、何らかの像を再生し得るように干渉縞を記録され真正性標示体等としても用いられている。
【０００３】
ホログラムは、典型的な製造方法として、二枚のフィルムによって両側から狹持された感光材料に干渉性を有した二つの光束を互いに異なる方向から照射することにより、製造され得る（例えば、特許文献１）。この製造方法では、二つの光束が干渉することにより干渉縞（干渉パターン）が生成され、感光性を有した感光材料は、この干渉縞をなす光の強弱パターンに応じて反応する。結果として、二光束の干渉縞に対応した何らかの縞状パターン、例えば屈折率の変化、透過率の変化、あるいは、形状変化（凹凸パターンの形成）が生じ、干渉縞が感光材料に何らかの縞状パターンとして記録される。そして、ブラッグ条件を満たす前記光は、感光材料に記録された干渉縞によって、回折されるようになる。
【先行技術文献】
【特許文献】
【０００４】
【特許文献１】特開平７−１１４３２９号公報
【発明の概要】
【発明が解決しようとする課題】
【０００５】
ところで、感光材料を狹持する支持フィルムとしては、通常、安価で作業性に優れたＰＥＴ（ポリエチレンテレフタレート）等が使用されてきた。しかしながら、ＰＥＴ等に代表される安価で作業性の良い材料の中には、複屈折性および／または旋光性を有するものがあり、干渉縞記録用の光束に対して光学作用を及ぼし得る。
【０００６】
干渉縞記録用の光束が感光材料に入射する前に透過する支持フィルムが複屈折性を有している場合、光束は、分裂して種々の方向へ不規則的に屈折してしまう。この結果、干渉縞記録時に不要な干渉縞も生成され、当該不要な干渉縞も感光材料に記録されてしまう。不要な干渉縞が記録されたホログラムは、意図しない方向に入射光を回折し、期待した方向への回折効率が著しく低下してしまう。また、ホログラムが全体的に白く見えるようにもなる（白化現象）。
【０００７】
同様に、干渉縞記録用の光束が感光材料に入射する前に透過する支持フィルムが旋光性を有している場合、干渉縞記録用の光の偏光状態が変化する。この結果、干渉縞記録時に二光束の干渉性が意図した状態より低下し、所望の屈折率変調量を有したホログラムを安定して作製することができなくなる。
【０００８】
これに対して、特許文献１では、不要な干渉縞の記録を回避するための研究がなされている。しかしながら、特許文献１では、ホログラムの作製において支持材および感光材料に求められる性質等についての一般的な調査研究がなされているだけであり、所望の回折作用を発現し得る特定のホログラムを作製するための具体的な手法は開示されていない。
【０００９】
本発明は、以上の点を考慮してなされたものであり、従来の不具合を解消して、ホログラムを安定して作製することができる透過型ホログラムの製造方法を提供することを目的とする。
【課題を解決するための手段】
【００１０】
本発明による透過型ホログラムの製造方法は、
第１支持材と、非複屈折性および非旋光性を有した第２支持材と、前記第１支持材と前記第２支持材との間に配置された感光材料と、を有する積層体を準備する工程と、
複数の方向からの光を、前記積層体の前記感光材料に、前記第２支持材の側から照射して、当該複数の方向からの光が干渉してなる干渉縞を前記感光材料に記録する工程と、を備える、ことを特徴とする。
【００１１】
本発明による透過型ホログラムの製造方法において、第１支持材は、複屈折性および旋光性の少なくとも一方を有するようにしてもよい。
【００１２】
また、本発明による透過型ホログラムの製造方法において、前記積層体は、前記感光材料の前記第２支持材とは反対の側に設けられた光吸収層を有し、前記干渉縞を記録する工程において、前記積層体に照射された光の少なくとも一部が、前記第２支持材および前記感光材料を透過した後に、前記光吸収層に吸収されるようにしてもよい。
【００１３】
さらに、本発明による透過型ホログラムの製造方法において、前記積層体の前記第２支持材は、前記積層体に照射される光を透過させる性質を有し、前記干渉縞を記録する工程において、前記積層体に照射される光は、前記第２支持材を透過して、前記感光材料に入射するようにしてもよい。
【００１４】
さらに、本発明による透過型ホログラムの製造方法において、前記感光材料はフォトポリマーからなるようにしてもよい。
【発明の効果】
【００１５】
本発明によれば、不要な干渉縞の記録が効果的に抑制され、所望の回折作用を発現し得る透過型ホログラムを製造することができる。
【図面の簡単な説明】
【００１６】
【図１】図１は、透過型ホログラムの一例およびその光学作用を説明するための図である。
【図２】図２は、透過型ホログラムを作製するための感光材料を含んだ積層体の層構成を説明するための図である。
【図３】図３は、図２の積層体の感光材料に干渉縞を記録している状態を示す図である。
【発明を実施するための形態】
【００１７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１８】
図１〜図３は、本実施の形態による透過型ホログラムの製造方法を説明するための図である。このうち図１には、以下に説明する製造方法により作製され得る透過型ホログラムの一例が示されている。以下の説明において、製造対象となる透過型ホログラム１０は、特定方向からの入射光を回折して、入射方向とは異なる方向に出射させる光学素子として形成されている。
【００１９】
図１および図２から理解され得るように、透過型ホログラム１０は、互いに対向する一対の主面１１ａ，１１ｂを有したシート状の光学素子として、形成されている。図１に示すように、透過型ホログラム１０は、第１方向ｄ１に沿ってホログラム１０の一方の主面１１ａの側から透過型ホログラム１０に入射する光Ｌ１１を、第２方向ｄ２に回折するようになっている。入射光Ｌ１１が高回折効率で回折されてなる回折光Ｌ１２は、当該入射光Ｌ１１とは異なる側、つまり、ホログラム１０の他方の主面１１ｂの側から、出射するようになっている。
【００２０】
体積型ホログラムからなる透過型ホログラム１０は、後においても詳述するように、複数の方向からの光が互いに干渉してなる干渉縞３５（図３参照）を、一種の回折格子と同様に機能し得る縞状パターンとして、感光性を有する感光材料（ホログラム記録材料）３０に記録することによって、作製されている。そして、透過型ホログラム１０は、この縞状パターンによって、図１に示された回折機能を発現するようになる。
【００２１】
次に、以上のような透過型ホログラム１０を製造する方法の一例について説明する。
【００２２】
まず、透過型ホログラム１０を構成するようになる感光材料３０を含んだ積層体２０（図２参照）を準備する。以下の説明においては、感光材料３０としてフォトポリマーを用いた例を挙げている。フォトポリマーは、光重合性モノマーを含んでいる。この光重合性モノマーは、露光された領域において光重合しポリマーを形成するといった特性を有している。
【００２３】
したがって、まず、フォトポリマーからなる感光材料３０をシート状の第１支持材２１上にコーティングする。コーティング方法としては、ダイコーティングやロールコーティング等の種々の公知な方法を採用することができる。次に、感光材料３０の第１支持材２１とは反対側に、シート状の第２支持材２２を積層する。
【００２４】
ここで、第１支持材２１は、複屈折性および旋光性のいずれか一方または両方を有した材料からなるシート状材料とすることができる。このような第１支持材２１は、安価且つ安価に入手可能であるとともに取り扱い性に優れているフィルム材から選択され得り、例えば、ＰＥＴフィルム、とりわけ、二軸延伸フィルムからなる。ただし、後述するように、第１支持材２１の屈折率は、感光材料３０の屈折率と略同程度であることが好ましい。第１支持材２１と感光材料３０との間に光学作用を及ぼし得る界面を形成しないためである。
【００２５】
一方、第２支持材２２は、複屈折性および旋光性の両方を持たない材料、言い換えると、非複屈折性および非旋光性の両方を有した材料、例えば、無アルカリガラス等のアモルファス状ガラス、ＴＡＣ（トリアセチルセルロース）フィルム、ＰＰ（ポリプロピレン）フィルム、ＰＣ（ポリカーボネイト）フィルム、ＰＶＡ（ポリビニルアルコール）フィルム、アクリルフィルム等からなる。また、第２支持材２２は、後に説明する干渉縞記録用の光を透過し得る性質を有していなければならない。またさらに、後述するように、第２支持材２２の屈折率は、感光材料３０の屈折率と略同程度であることが好ましい。第２支持材２２と感光材料３０との間に光学作用を及ぼし得る界面を形成しないためである。
【００２６】
このようにして、感光材料３０を、二枚の支持材２１，２２間に狹持して、薄膜状に保持することができるようになる。またこの状態において、感光材料３０は、二枚の支持材２１，２２によって、外部から保護され得る。
【００２７】
次に、第１支持材２１の感光材料３０とは反対側に、光吸収層２６を積層する。また、第２支持材２１の感光材料３０とは反対側に、反射防止層２７を積層する。光吸収層２６は、後述する干渉縞記録用の光の波長を少なくとも含む波長域の光を吸収し得る特性を有している層である。一方、反射防止層２７は、後述する干渉縞記録用の光の波長を少なくとも含む波長域の光の反射を防止し得る特性を有している層である。
【００２８】
なお、図２に示すように、光吸収層２６および反射防止層２７は、それぞれ、インデックスマッチング液の層２４，２５を用いて、対応する支持材２１，２２に密着していることが好ましい。インデックスマッチング液を間に介在させることによって、光吸収層２６および反射防止層２７を支持材２１，２２に安定して貼付した状態とすることが可能になるだけでなく、部材間（層間）で屈折率が大きく変化してしまうことを防止することができる。これにより、光学作用を強く及ぼし得る界面が、積層体２０内の部材間（層間）に形成されることを防止することができる。
【００２９】
以上のようにして、図２に示された感光材料３０を含む積層体２０が得られる。積層体２０は、互いに対向する一方の主面２０ａおよび他方の主面２０ｂを画成するシート状の形体を有している。
【００３０】
次に、図３に示すように、互いに干渉し得る複数の光Ｌ３１，Ｌ３２を異なる方向から積層体２０の感光材料３０に照射する。図３に示すように、感光材料３０の露光は、第２支持材２２の側から行われる。すなわち、複数の方向からの光Ｌ３１，Ｌ３２は、反射防止層２７によって形成された積層体２０の他方の主面２０ｂの側から、積層体２０内に入射する。
【００３１】
ここで、互いに干渉し得る複数の光Ｌ３１，Ｌ３２として、単一のレーザ光源から発振されるレーザ光をビームスプリッタ等で分割してなる複数の光を用いることができる。レーザ光源としては、ヘリウム−ネオンレーザー、アルゴンイオンレーザー、クリプトンイオンレーザー、ネオジウムヤグレーザー等を用いることができる。
【００３２】
単一のレーザ光源から発振された複数の光は、ミラー等の光学部材を適宜用いることにより、それぞれ、所定の方向から感光材料に入射するようになる。単一のレーザ光源から発振されるレーザ光の波長が、ホログラム１０の実際の使用において当該ホログラム１０で回折することを意図された光Ｌ１１，Ｌ１２の波長と同一である場合には、図３に示すように、第１方向ｄ１および第２方向ｄ２のそれぞれに沿って、透過型ホログラム１０の他方の主面１１ｂを構成するようになる他方の主面３１ｂの側から、感光材料３０へ、光Ｌ３１，Ｌ３２を入射させることによって、図１の回折作用を奏し得る透過型ホログラム１０を作製することができる。具体的には、図３に示す例において、第１光Ｌ３１が、第１方向ｄ１に沿って、積層体２０の他方の主面２０ｂの側から、感光材料３０に入射している。また、第２光Ｌ３２が、第２方向ｄ２に沿って、積層体２０の他方の主面２０ｂの側から、積層体２０に入射している。
【００３３】
上述したように、積層体２０の他方の主面２０ｂは、第１光Ｌ３１および第２光Ｌ３２に対する反射防止機能を発揮し得る反射防止層２７で形成されている。したがって、第１方向ｄ１へ進む第１光Ｌ３１および第２方向ｄ２へ進む第２光Ｌ３２は、反射防止層２７からなる積層体２０の入射面２０ｂで反射されるを効果的に防止されつつ、積層体２０へ入射する。これにより、積層体２０内に所望の光量の光Ｌ３１，Ｌ３２を入射させることができる。
【００３４】
積層体２０内に入射した光Ｌ３１，Ｌ３２は、第２支持材２２を透過した後、感光材料３０に入射する。互いに干渉性のある複数の光束Ｌ３１，Ｌ３２が互いに異なる方向から、感光材料３０に照射されると、第１光Ｌ３１および第２光Ｌ３２が干渉してなる干渉縞３５が発生するようになる。発生した干渉縞３５は、図３に点線で示すように、第１光Ｌ３１の感光材料３０への入射方向である第１方向ｄ１と、第２光Ｌ３２の感光材料３０への入射方向である第２方向ｄ２と、によってなされる角の二等分線と概ね平行な方向（図３における点線の方向）に延びるようになる。
【００３５】
干渉縞３５が生成されると、感光性を有した感光材料３０内では干渉縞３５の縞状パターンに対応して、ポリマーが偏った位置に形成されていく。このようなポリマーの偏在により、干渉縞３５の縞状パターンに対応した屈折率変調パターンが感光材料３０内に生じる。すなわち、露光光が干渉してなる干渉縞３５が屈折率変調パターンとして感光材料３０に記録され、透過型ホログラム１０に上述の回折機能が付与される。
【００３６】
ところで、第２支持材２２は、複屈折性および旋光性を有していない。したがって、第１光Ｌ３１および第２光Ｌ３２は、意図しない方向へ回折したり偏光を乱されたりすることなく、第２支持材２２を透過して感光材料３０に入射する。このように意図しない方向へ進む不要な光の発生を防止することにより、この不要な光が第１方向ｄ１に進む第１光Ｌ３１や第２方向ｄ２に進む第２光Ｌ３２との間で不要な干渉縞を形成することを防止することができる。また、偏光の乱れが防止されるので、生成された干渉縞３５は明瞭に感光材料３０に記録されるようになる。すなわち、透過型ホログラム１０をなすようになる感光材料３０を保持する入射側の支持材２２が複屈折性および旋光性を有していないことから、所望の干渉縞３５を感光材料３０に高精度に記録することが可能となる。
【００３７】
なお、上述したように、反射防止層２７と第２支持材２２との間にインデックスマッチング液の層２５が設けられている場合、反射防止層２７と第２支持材２２との間の屈折率の変化をなだらかにすることができる。これにより、反射防止層２７から第２支持材２２に進む光Ｌ３１，Ｌ３２の意図しない反射を防止することができる。併せて、上述したように、第２支持材２２の屈折率が感光材料３０の屈折率と同程度であれば、第２支持材２２から感光材料３０に進む光Ｌ３１，Ｌ３２の意図しない反射を防止することができる。意図しない反射を防止することにより、
意図しない方向から光が感光材料３０に入射し、この不要な光が第１方向ｄ１に進む第１光Ｌ３１や第２方向ｄ２に進む第２光Ｌ３２との間で不要な干渉縞を形成することを防止することができる。
【００３８】
ところで、感光材料３０に入射した第１光Ｌ３１および第２光Ｌ３２は、その後、第１支持材２１を透過し、光吸収層２６に入射する。入射した光Ｌ３１，Ｌ３２の多くは、この光吸収層２６で吸収されることになる。このように、感光材料３０の出光側に光吸収層２６が設けられていることにより、いったん感光材料３０を透過した露光光Ｌ３１，Ｌ３２が反射等により再び感光材料３０に入射して不要な干渉縞が形成されることを、効果的に抑制することができる。
【００３９】
なお、感光材料３０に入射する前と同様に、感光材料３０を透過した後においても、上述したように、第１支持材２１と光吸収層２６との間にインデックスマッチング液の層２４が設けられている場合や、第１支持材２１の屈折率が感光材料３０の屈折率と同程度である場合、意図しない反射を防止することができる。そして、意図しない反射を防止することにより、意図しない不要な光が感光材料３０に再び入射して、不要な干渉縞が感光材料３０に記録されることを防止することができる。
【００４０】
以上のようにして、干渉縞３５を感光材料３０に記録して、干渉縞３５の縞状パターンに対応したパターンで屈折率変調パターンを感光材料３０に形成することができる。干渉縞３５の記録工程が終了すると、その後、記録工程用に設けられた反射防止層２７および光吸収層２６を積層体２０から剥がし取る。次に、積層体２０の表面を洗浄した後、後処理工程が積層体２０に施され、透過型体積ホログラムからなる透過型ホログラム１０が得られるようになる。具体的な後処理の内容としては、一例として、紫外線照射および加熱処理が積層体２０の感光材料３０に施され、感光材料３０をなすフォトポリマーの感光性を完全に消失させるとともに、感光材料３０を安定化させる。なお、第１支持材２１および第２支持材２２は、その後、感光材料３０の干渉縞３５を記録してなる透過型ホログラム１０から取り外されてもよいし、あるいは、その後の透過型ホログラム１０の使用においても、透過型ホログラムを支持および／または保護するための層として、透過型ホログラム１０とともに用いられてもよい。
【００４１】
以上のような本実施の形態によれば、感光材料３０を間に保持する一対の支持材２１，２２のうち、干渉縞記録時に積層体２０を透過する露光光Ｌ３１，Ｌ３２を基準として感光材料３０よりも入射側に位置する第２支持材２２が、複屈折性および旋光性のいずれも有していない。したがって、第２支持材２２を透過した後に感光材料３０に入射する光は、第２支持材２２を透過する際に、分裂して不規則的に回折したり偏光を乱されたりすることはない。このため、所望の干渉縞３５を感光材料３０に高精度に記録することができ、これにより、得られた透過型ホログラム１０は、ブラッグ条件を満たす入射光を所望の回折効率で回折することができるとともに、白化現象を生じさせない。
【００４２】
その一方で、干渉縞記録時に積層体２０を透過する露光光Ｌ３１，Ｌ３２を基準として感光材料３０よりも出射側に位置する第１支持材２１は、非複屈折性かつ非旋光性の材料から作製される必要が無く、複屈折性および旋光性の少なくとも一つを有していてもよい。すなわち、第１支持材２１をなす材料の選択の幅は、非常に広い。このため、第１支持材２１として、安価に入手可能であり且つ取り扱い性の容易なシート状の材料を用いることができる。これにより、透過型ホログラム１０の製造コストを低減することができるだけでなく、積層体２０の形成時や感光材料３０への干渉縞３５の記録時等における作業性を向上させることもできる。
【００４３】
以上、本発明を図示する一実施の形態に基づいて説明したが、本発明はこの実施形態に限定されるものではなく、この他にも種々の態様で実施可能である。以下に、変形の一例を説明する。
【００４４】
上述した実施の形態において、感光材料３０を含む積層体２０の作製方法を説明したが、この作製方法は単なる例示であって、種々の変更が可能である。例えば、感光材料３０の第１支持材２１へのコーティングに先立ち、光吸収層２６が予め第１支持材２１に積層されていてもよい。また、感光材料３０の他方の主面３０ｂ上への第２支持材２２の積層に先立ち、反射防止層２７が予め第２支持材２２に積層されていてもよい。さらに、上述した実施の形態での説明とは逆に、感光材料３０を、まず、複屈折性および旋光性の両方を持たない第２支持材２２上にコーティングし、その後、感光材料３０の第１支持材２２とは反対側の面上に第１支持材２１を積層するようにしてもよい。
【００４５】
また、上述した実施の形態において、感光材料３０を含む積層体２０の構成を説明したが、この構成は単なる例示であって、種々の変更が可能である。例えば、第１支持材２１は、複屈折性および旋光性の少なくとも一方を有する必要はなく、第２支持材２２と同様に、複屈折性および旋光性のいずれも有さなくてもよい。つまり、第１支持材２１が、非複屈折性および非旋光性の両方を有するようにしてもよい。また、反射防止層２７が第２支持材２２とは別の部材として構成されている例を示したが、これに限られず、第２支持材２２が、反射防止機能を有し、反射防止層２７としても機能するようにしてもよい。同様に、光吸収層２６が第１支持材２１とは別の部材として構成されている例を示したが、これに限られず、第１支持材２１が、光吸収機能を有し、光吸収層２６としても機能するようにしてもよい。なお、第１支持材２１が光吸収層２６として機能する場合には、感光材料３０からなる透過型ホログラム１０の使用前に、第１支持材２１を感光材料３０から剥がすようにしてもよい。あるいは、後述する変形例にように、干渉縞記録時に感光材料３０に照射される露光光の波長と、使用時に透過型ホログラム１０で回折される光の波長と、が異なる場合には、露光光の波長を含み使用時における光の波長を含まない特定波長域の光を吸収する機能を有した光吸収層２６（第１支持材２１）が、透過型ホログラム１０に積層されたままにしておいてもよい。
【００４６】
さらに、上述した実施の形態において、透過型ホログラム１０が、ブラッグ条件を満たす第１方向ｄ１からの入射光Ｌ１１を高回折効率で第２方向ｄ２に回折する光学素子として、製造される例を示したがこれに限られない。透過型ホログラム１０が、参照光と物体光との干渉縞を記録され、物体光に対応する所定の像を再生し得る透過型ホログラムとして製造されるようにしてもよい。
【００４７】
さらに、上述した実施の形態において、透過型ホログラム１０を作製する際に露光のために用いられる光Ｌ３１，Ｌ３２の波長を、製造された透過型ホログラム１０の使用時に当該透過型ホログラム１０で回折すべき光Ｌ１１，Ｌ１２の波長と、同一にした例を示したが、これに限られない。透過型ホログラム１０の使用時に当該透過型ホログラム１０に入射する光の波長として意図された特定波長とは異なる波長を有する光であっても、ブラッグ干渉条件を満たす入射角度で透過型ホログラム１０へ入射すれば、高い回折効率で回折されるようになる。この現象における、意図された特定波長とは異なる波長を有した光の入射方向（照明方向）及びその回折方向（再生方向）に沿って、意図された特定波長とは異なる前記波長を有した光を、それぞれ、感光材料３０に入射させることにより、上述した実施の形態と同一の干渉縞３５を感光材料３０に記録することができる。
【００４８】
さらに、上述した実施の形態において、感光性を有した感光材料３０が、フォトポリマーからなる例を示したが、これに限られない。例えば、感光性を有した感光材料３０が、フォトレジスト、重クロム酸ゼラチン、銀塩乳剤等から構成されていてもよい。
【００４９】
なお、以上においていくつかの変形例を説明してきたが、当然に、複数の変形例を適宜組み合わせて適用することも可能である。
【符号の説明】
【００５０】
１０  ホログラム
１１ａ，１１ｂ  主面
２０  積層体
２１  第１支持材
２２  第２支持材
２４，２５  インデックスマッチング液の層
２６  光吸収層
２７  反射防止層
３０  感光材料
３１ａ，３１ｂ  主面
３５  干渉縞
【図１】
2011133640.tif 000003
【図２】
2011133640.tif 000004
【図３】
2011133640.tif 000005